(57)【要約】  本願実施例は無線通信方法及び装置を提供し、ＣＳＩフィードバックの面で、比較的に柔軟なＮＲシステムにマッチングすることができる。該方法は、第１情報を送信し、前記第１情報はダウンリンク制御情報（ＤＣＩ）にベアリングされ、前記第１情報は非周期的なチャネル状態情報（ＣＳＩ）報告又は準周期的なＣＳＩ報告を行うように前記端末をトリガすることに用いられることと、時間オフセット及び開始点としての第１ダウンリンク時間領域位置に基づいて第１アップリンク時間領域位置を決定し、前記時間オフセットの時間単位長さはＣＳＩ報告を行うためのアップリンク伝送の時間単位長さであり、又は前記第１ダウンリンク時間領域位置において行うダウンリンク伝送の時間単位長さであることと、前記第１アップリンク時間領域位置において端末から報告されたＣＳＩを受信することと、を含む。
2021515449.tif 000002
【特許請求の範囲】
【請求項１】
無線通信方法であって、
第１情報を送信し、前記第１情報はダウンリンク制御情報（ＤＣＩ）にベアリングされ、前記第１情報は非周期的なチャネル状態情報（ＣＳＩ）報告又は準周期的なＣＳＩ報告を行うように前記端末をトリガすることに用いられることと、
時間オフセット及び開始点としての第１ダウンリンク時間領域位置に基づいて、第１アップリンク時間領域位置を決定し、前記時間オフセットの時間単位長さはＣＳＩ報告を行うためのアップリンク伝送の時間単位長さであり、又は前記第１ダウンリンク時間領域位置において行うダウンリンク伝送の時間単位長さであることと、
前記第１アップリンク時間領域位置において、端末から報告されたＣＳＩを受信することと、を含むことを特徴とする無線通信方法。
【請求項２】
前記方法は更に、
第２情報を送信し、前記第２情報は前記時間オフセットを前記端末に示すことに用いられることを含むことを特徴とする請求項１に記載の方法。
【請求項３】
前記第２情報と前記第１情報は同一のダウンリンク制御情報（ＤＣＩ）にベアリングされることを特徴とする請求項２に記載の方法。
【請求項４】
前記第１情報は準周期的なＣＳＩ報告を行うように前記端末をトリガすることに用いられ、前記第１ダウンリンク時間領域位置は周期的な時間領域位置であり、前記第１アップリンク時間領域位置は周期的な時間領域位置であることを特徴とする請求項１〜３のいずれか１項に記載の方法。
【請求項５】
前記第１ダウンリンク時間領域位置は、
前記第１情報の所在するシンボルのうちの少なくとも１つ、又は所在するタイムスロット、又は所在するタイムスロットの最後のシンボルであり、又は、
ＣＳＩ測定を行うチャネル測定リソースの所在するシンボルのうちの少なくとも１つ、又は所在するタイムスロット、又は所在するタイムスロットの最後のシンボルであり、又は、
ＣＳＩ測定を行う干渉リソースの所在するシンボルのうちの少なくとも１つ、又は所在するタイムスロット、又は所在するタイムスロットの最後のシンボルであり、又は、
ＣＳＩ参照リソースの所在するシンボルのうちの少なくとも１つ、又は所在するタイムスロット、又は所在するタイムスロットの最後のシンボルであることを特徴とする請求項１〜４のいずれか１項に記載の方法。
【請求項６】
前記時間オフセットの時間単位長さはアップリンク伝送の時間単位長さであり、前記第１アップリンク時間領域位置を決定することは、
前記第１ダウンリンク時間領域位置を第２アップリンク時間領域位置にマッピングすることと、
前記第２アップリンク時間領域位置に前記時間オフセットのｎ倍を加算して取得した時間領域位置を、前記第１アップリンク時間領域位置として決定し、前記ｎが１以上の整数であることと、を含むことを特徴とする請求項１〜５のいずれか１項に記載の方法。
【請求項７】
前記時間オフセットの時間単位長さはダウンリンク伝送の時間単位長さであり、前記第１アップリンク時間領域位置を決定することは、
前記第１ダウンリンク時間領域位置に前記時間オフセットのｎ倍を加算して、第２ダウンリンク時間領域位置を取得し、前記ｎが１以上の整数であることと、
前記第２ダウンリンク時間領域位置を前記第１アップリンク時間領域位置にマッピングすることと、を含むことを特徴とする請求項１〜６のいずれか１項に記載の方法。
【請求項８】
前記時間オフセットの時間単位長さはタイムスロットであることを特徴とする請求項１〜７のいずれか１項に記載の方法。
【請求項９】
ＣＳＩ報告を行うためのアップリンク伝送のサブキャリア間隔は、前記第１ダウンリンク時間領域位置において行うダウンリンク伝送のサブキャリア間隔と異なることを特徴とする請求項１〜８のいずれか１項に記載の方法。
【請求項１０】
無線通信方法であって、
第１情報を受信し、前記第１情報はダウンリンク制御情報（ＤＣＩ）にベアリングされ、前記第１情報は非周期的なチャネル状態情報（ＣＳＩ）報告又は準周期的なＣＳＩ報告をトリガすることに用いられることと、
時間オフセット及び開始点としての第１ダウンリンク時間領域位置に基づいて、第１アップリンク時間領域位置を決定し、前記時間オフセットの時間単位長さはＣＳＩ報告を行うためのアップリンク伝送の時間単位長さであり、又は前記第１ダウンリンク時間領域位置において行うダウンリンク伝送の時間単位長さであることと、
前記第１アップリンク時間領域位置においてＣＳＩを報告することと、を含むことを特徴とする無線通信方法。
【請求項１１】
前記方法は更に、
第２情報を受信し、前記第２情報は前記時間オフセットを示すことに用いられることを含むことを特徴とする請求項１０に記載の方法。
【請求項１２】
前記第２情報と前記第１情報は同一のダウンリンク制御情報（ＤＣＩ）にベアリングされることを特徴とする請求項１１に記載の方法。
【請求項１３】
前記第１情報は準周期的なＣＳＩ報告を行うように前記端末をトリガすることに用いられ、前記第１ダウンリンク時間領域位置は周期的な時間領域位置であり、前記第１アップリンク時間領域位置は周期的な時間領域位置であることを特徴とする請求項１０又は１１に記載の方法。
【請求項１４】
前記第１ダウンリンク時間領域位置は、
前記第２情報の所在するシンボルのうちの少なくとも１つ、又は所在するタイムスロット、又は所在するタイムスロットの最後のシンボルであり、又は、
ＣＳＩ測定を行うチャネル測定リソースの所在するシンボルのうちの少なくとも１つ、又は所在するタイムスロット、又は所在するタイムスロットの最後のシンボルであり、又は、
ＣＳＩ測定を行う干渉リソースの所在するシンボルのうちの少なくとも１つ、又は所在するタイムスロット、又は所在するタイムスロットの最後のシンボルであり、又は、
ＣＳＩ参照リソースの所在するシンボルのうちの少なくとも１つ、又は所在するタイムスロット、又は所在するタイムスロットの最後のシンボルであることを特徴とする請求項１０〜１３のいずれか１項に記載の方法。
【請求項１５】
前記時間オフセットの時間単位長さはアップリンク伝送の時間単位長さであり、前記第１アップリンク時間領域位置を決定することは、
前記第１ダウンリンク時間領域位置を第２アップリンク時間領域位置にマッピングすることと、
前記第２アップリンク時間領域位置に前記時間オフセットのｎ倍を加算して取得した時間領域位置を、前記第１アップリンク時間領域位置として決定し、前記ｎが１以上の整数であることと、を含むことを特徴とする請求項１０〜１４のいずれか１項に記載の方法。
【請求項１６】
前記時間オフセットの時間単位長さはダウンリンク伝送の時間単位長さであり、前記第１アップリンク時間領域位置を決定することは、
前記第１ダウンリンク時間領域位置に前記時間オフセットのｎ倍を加算して、第２ダウンリンク時間領域位置を取得し、前記ｎが１以上の整数であることと、
前記第２ダウンリンク時間領域位置を前記第１アップリンク時間領域位置にマッピングすることと、を含むことを特徴とする請求項１０〜１５のいずれか１項に記載の方法。
【請求項１７】
前記時間オフセットの時間単位長さはタイムスロットであることを特徴とする請求項１０〜１６のいずれか１項に記載の方法。
【請求項１８】
ＣＳＩ報告を行うためのアップリンク伝送のサブキャリア間隔は、前記第１ダウンリンク時間領域位置において行うダウンリンク伝送のサブキャリア間隔と異なることを特徴とする請求項１０〜１７のいずれか１項に記載の方法。
【請求項１９】
ネットワーク装置であって、通信ユニットと処理ユニットを備え、
前記通信ユニットは第１情報を送信することに用いられ、前記第１情報はダウンリンク制御情報（ＤＣＩ）にベアリングされ、前記第１情報は非周期的なチャネル状態情報（ＣＳＩ）報告又は準周期的なＣＳＩ報告を行うように前記端末をトリガすることに用いられ、
前記処理ユニットは、時間オフセット及び開始点としての第１ダウンリンク時間領域位置に基づいて第１アップリンク時間領域位置を決定することに用いられ、前記時間オフセットの時間単位長さはＣＳＩ報告を行うためのアップリンク伝送の時間単位長さであり、又は前記第１ダウンリンク時間領域位置において行うダウンリンク伝送の時間単位長さであり、
前記通信ユニットは更に、前記第１アップリンク時間領域位置において、端末から報告されたＣＳＩを受信することに用いられることを特徴とするネットワーク装置。
【請求項２０】
前記通信ユニットは更に、第２情報を送信することに用いられ、前記第２情報は前記時間オフセットを前記端末に示すことに用いられることを特徴とする請求項１９に記載の装置。
【請求項２１】
前記第２情報と前記第１情報は同一のダウンリンク制御情報（ＤＣＩ）にベアリングされることを特徴とする請求項２０に記載の装置。
【請求項２２】
前記第１情報は準周期的なＣＳＩ報告を行うように前記端末をトリガすることに用いられ、前記第１ダウンリンク時間領域位置は周期的な時間領域位置であり、前記第１アップリンク時間領域位置は周期的な時間領域位置であることを特徴とする請求項１９〜２１のいずれか１項に記載の装置。
【請求項２３】
前記第１ダウンリンク時間領域位置は、
前記第１情報の所在するシンボルのうちの少なくとも１つ、又は所在するタイムスロット、又は所在するタイムスロットの最後のシンボルであり、又は、
ＣＳＩ測定を行うチャネル測定リソースの所在するシンボルのうちの少なくとも１つ、又は所在するタイムスロット、又は所在するタイムスロットの最後のシンボルであり、又は、
ＣＳＩ測定を行う干渉リソースの所在するシンボルのうちの少なくとも１つ、又は所在するタイムスロット、又は所在するタイムスロットの最後のシンボルであり、又は、
ＣＳＩ参照リソースの所在するシンボルのうちの少なくとも１つ、又は所在するタイムスロット、又は所在するタイムスロットの最後のシンボルであることを特徴とする請求項１９〜２２のいずれか１項に記載の装置。
【請求項２４】
前記時間オフセットの時間単位長さはアップリンク伝送の時間単位長さであり、前記処理ユニットは更に、
前記第１ダウンリンク時間領域位置を第２アップリンク時間領域位置にマッピングすることと、
前記第２アップリンク時間領域位置に前記時間オフセットのｎ倍を加算して取得した時間領域位置を、前記第１アップリンク時間領域位置として決定し、前記ｎが１以上の整数であることと、に用いられることを特徴とする請求項１９〜２３のいずれか１項に記載の装置。
【請求項２５】
前記時間オフセットの時間単位長さはダウンリンク伝送の時間単位長さであり、
前記処理ユニットは更に、
前記第１ダウンリンク時間領域位置に前記時間オフセットのｎ倍を加算して、第２ダウンリンク時間領域位置を取得し、前記ｎが１以上の整数であることと、
前記第２ダウンリンク時間領域位置を前記第１アップリンク時間領域位置にマッピングすることと、に用いられることを特徴とする請求項１９〜２４のいずれか１項に記載の装置。
【請求項２６】
前記時間オフセットの時間単位長さはタイムスロットであることを特徴とする請求項１９〜２５のいずれか１項に記載の装置。
【請求項２７】
ＣＳＩ報告を行うためのアップリンク伝送のサブキャリア間隔は、前記第１ダウンリンク時間領域位置において行うダウンリンク伝送のサブキャリア間隔と異なることを特徴とする請求項１９〜２６のいずれか１項に記載の装置。
【請求項２８】
端末であって、通信ユニットと処理ユニットを備え、
前記通信ユニットは第１情報を受信することに用いられ、前記第１情報はダウンリンク制御情報（ＤＣＩ）にベアリングされ、前記第１情報は非周期的なチャネル状態情報（ＣＳＩ）報告又は準周期的なＣＳＩ報告をトリガすることに用いられ、
前記処理ユニットは、時間オフセット及び開始点としての第１ダウンリンク時間領域位置に基づいて第１アップリンク時間領域位置を決定することに用いられ、前記時間オフセットの時間単位長さはＣＳＩ報告を行うためのアップリンク伝送の時間単位長さであり、又は前記第１ダウンリンク時間領域位置において行うダウンリンク伝送の時間単位長さであり、
前記通信ユニットは更に、前記第１アップリンク時間領域位置においてＣＳＩを報告することに用いられることを特徴とする端末。
【請求項２９】
前記通信ユニットは更に、第２情報を受信することに用いられ、前記第２情報は前記時間オフセットを示すことに用いられることを特徴とする請求項２８に記載の端末。
【請求項３０】
前記第２情報と前記第１情報は同一のダウンリンク制御情報（ＤＣＩ）にベアリングされることを特徴とする請求項２９に記載の端末。
【請求項３１】
前記第１情報は準周期的なＣＳＩ報告を行うように前記端末をトリガすることに用いられ、前記第１ダウンリンク時間領域位置は周期的な時間領域位置であり、前記第１アップリンク時間領域位置は周期的な時間領域位置であることを特徴とする請求項２８又は２９に記載の端末。
【請求項３２】
前記第１ダウンリンク時間領域位置は、
前記第２情報の所在するシンボルのうちの少なくとも１つ、又は所在するタイムスロット、又は所在するタイムスロットの最後のシンボルであり、又は、
ＣＳＩ測定を行うチャネル測定リソースの所在するシンボルのうちの少なくとも１つ、又は所在するタイムスロット、又は所在するタイムスロットの最後のシンボルであり、又は、
ＣＳＩ測定を行う干渉リソースの所在するシンボルのうちの少なくとも１つ、又は所在するタイムスロット、又は所在するタイムスロットの最後のシンボルであり、又は、
ＣＳＩ参照リソースの所在するシンボルのうちの少なくとも１つ、又は所在するタイムスロット、又は所在するタイムスロットの最後のシンボルであることを特徴とする請求項２８〜３１のいずれか１項に記載の端末。
【請求項３３】
前記時間オフセットの時間単位長さはアップリンク伝送の時間単位長さであり、前記処理ユニットは更に、
前記第１ダウンリンク時間領域位置を第２アップリンク時間領域位置にマッピングすることと、
前記第２アップリンク時間領域位置に前記時間オフセットのｎ倍を加算して取得した時間領域位置を、前記第１アップリンク時間領域位置として決定し、前記ｎが１以上の整数であることと、に用いられることを特徴とする請求項２８〜３２のいずれか１項に記載の端末。
【請求項３４】
前記時間オフセットの時間単位長さはダウンリンク伝送の時間単位長さであり、前記処理ユニットは更に、
前記第１ダウンリンク時間領域位置に前記時間オフセットのｎ倍を加算して、第２ダウンリンク時間領域位置を取得し、前記ｎが１以上の整数であることと、
前記第２ダウンリンク時間領域位置を前記第１アップリンク時間領域位置にマッピングすることと、に用いられることを特徴とする請求項２８〜３３のいずれか１項に記載の端末。
【請求項３５】
前記時間オフセットの時間単位長さはタイムスロットであることを特徴とする請求項２８〜３４のいずれか１項に記載の端末。
【請求項３６】
ＣＳＩ報告を行うためのアップリンク伝送のサブキャリア間隔は、前記第１ダウンリンク時間領域位置において行うダウンリンク伝送のサブキャリア間隔と異なることを特徴とする請求項２８〜３５のいずれか１項に記載の端末。
【発明の詳細な説明】
【技術分野】
【０００１】
本願は通信分野に関し、より具体的に、無線通信方法及び装置に関する。
【背景技術】
【０００２】
ロングタームエボリューション（ＬＴＥ、Ｌｏｎｇ  Ｔｅｒｍ  Ｅｖｏｌｕｔｉｏｎ）システムにおいて、端末はチャネル状態情報（ＣＳＩ、Ｃｈａｎｎｅｌ  Ｓｔａｔｅ  Ｉｎｆｏｒｍａｔｉｏｎ）を取得して、周期的に又は非周期的に基地局にＣＳＩを報告することができる。
【０００３】
新無線（ＮＲ、Ｎｅｗ  Ｒａｄｉｏ）システムにおいて、通信の柔軟性に対する要求は比較的に高い。
【０００４】
如何にしてＣＳＩフィードバックの面で、比較的に柔軟なＮＲシステムにマッチングするかは早急に解決すべき課題である。
【発明の概要】
【発明が解決しようとする課題】
【０００５】
本願実施例は無線通信方法及び装置を提供し、ＣＳＩフィードバックの面で、比較的に柔軟なＮＲシステムにマッチングすることができる。
【課題を解決するための手段】
【０００６】
第１態様では無線通信方法を提供し、
第１情報を送信し、前記第１情報はダウンリンク制御情報（ＤＣＩ）にベアリングされ、前記第１情報は非周期的なチャネル状態情報（ＣＳＩ）報告又は準周期的なＣＳＩ報告を行うように前記端末をトリガすることに用いられることと、
時間オフセット及び開始点としての第１ダウンリンク時間領域位置に基づいて、第１アップリンク時間領域位置を決定し、前記時間オフセットの時間単位長さはＣＳＩ報告を行うためのアップリンク伝送の時間単位長さであり、又は前記第１ダウンリンク時間領域位置において行うダウンリンク伝送の時間単位長さであることと、
前記第１アップリンク時間領域位置において、端末から報告されたＣＳＩを受信することと、を含む。
【０００７】
第１態様に関連して、第１態様の１つの可能な実現方式において、前記方法は更に、
第２情報を送信し、前記第２情報は前記時間オフセットを前記端末に示すことに用いられることを含む。
【０００８】
第１態様又はその上記のいずれか１つの可能な実現方式に関連して、第１態様の他の可能な実現方式において、前記第２情報と前記第１情報は同一のダウンリンク制御情報（ＤＣＩ）にベアリングされる。
【０００９】
第１態様又はその上記のいずれか１つの可能な実現方式に関連して、第１態様の他の可能な実現方式において、前記第１情報は準周期的なＣＳＩ報告を行うように前記端末をトリガすることに用いられ、前記第１ダウンリンク時間領域位置は周期的な時間領域位置であり、前記第１アップリンク時間領域位置は周期的な時間領域位置である。
【００１０】
第１態様又はその上記のいずれか１つの可能な実現方式に関連して、第１態様の他の可能な実現方式において、前記第１ダウンリンク時間領域位置は、
前記第１情報の所在するシンボルのうちの少なくとも１つ、又は所在するタイムスロット、又は所在するタイムスロットの最後のシンボルであり、又は、
ＣＳＩ測定を行うチャネル測定リソースの所在するシンボルのうちの少なくとも１つ、又は所在するタイムスロット、又は所在するタイムスロットの最後のシンボルであり、又は、
ＣＳＩ測定を行う干渉リソースの所在するシンボルのうちの少なくとも１つ、又は所在するタイムスロット、又は所在するタイムスロットの最後のシンボルであり、又は、
ＣＳＩ参照リソースの所在するシンボルのうちの少なくとも１つ、又は所在するタイムスロット、又は所在するタイムスロットの最後のシンボルである。
【００１１】
第１態様又はその上記のいずれか１つの可能な実現方式に関連して、第１態様の他の可能な実現方式において、前記時間オフセットの時間単位長さはアップリンク伝送の時間単位長さであり、前記第１アップリンク時間領域位置を決定することは、
前記第１ダウンリンク時間領域位置を第２アップリンク時間領域位置にマッピングすることと、
前記第２アップリンク時間領域位置に前記時間オフセットのｎ倍を加算して取得した時間領域位置を、前記第１アップリンク時間領域位置として決定し、前記ｎが１以上の整数であることと、を含む。
【００１２】
第１態様又はその上記のいずれか１つの可能な実現方式に関連して、第１態様の他の可能な実現方式において、前記時間オフセットの時間単位長さはダウンリンク伝送の時間単位長さであり、前記第１アップリンク時間領域位置を決定することは、
前記第１ダウンリンク時間領域位置に前記時間オフセットのｎ倍を加算して、第２ダウンリンク時間領域位置を取得し、前記ｎが１以上の整数であることと、
前記第２ダウンリンク時間領域位置を前記第１アップリンク時間領域位置にマッピングすることと、を含む。
【００１３】
第１態様又はその上記のいずれか１つの可能な実現方式に関連して、第１態様の他の可能な実現方式において、前記時間オフセットの時間単位長さはタイムスロットである。
【００１４】
第１態様又はその上記のいずれか１つの可能な実現方式に関連して、第１態様の他の可能な実現方式において、ＣＳＩ報告を行うためのアップリンク伝送のサブキャリア間隔は、前記第１ダウンリンク時間領域位置において行うダウンリンク伝送のサブキャリア間隔と異なる。
【００１５】
第２態様では無線通信方法を提供し、
第１情報を受信し、前記第１情報はダウンリンク制御情報（ＤＣＩ）にベアリングされ、前記第１情報は非周期的なチャネル状態情報（ＣＳＩ）報告又は準周期的なＣＳＩ報告をトリガすることに用いられることと、
時間オフセット及び開始点としての第１ダウンリンク時間領域位置に基づいて、第１アップリンク時間領域位置を決定し、前記時間オフセットの時間単位長さはＣＳＩ報告を行うためのアップリンク伝送の時間単位長さであり、又は前記第１ダウンリンク時間領域位置において行うダウンリンク伝送の時間単位長さであることと、
前記第１アップリンク時間領域位置においてＣＳＩを報告することと、を含む。
【００１６】
第２態様に関連して、第２態様の１つの可能な実現方式において、前記方法は更に、
第２情報を受信し、前記第２情報は前記時間オフセットを示すことに用いられることを含む。
【００１７】
第２態様又はその上記のいずれか１つの可能な実現方式に関連して、第２態様の他の可能な実現方式において、前記第２情報と前記第１情報は同一のダウンリンク制御情報（ＤＣＩ）にベアリングされる。
【００１８】
第２態様又はその上記のいずれか１つの可能な実現方式に関連して、第２態様の他の可能な実現方式において、前記第１情報は準周期的なＣＳＩ報告を行うように前記端末をトリガすることに用いられ、前記第１ダウンリンク時間領域位置は周期的な時間領域位置であり、前記第１アップリンク時間領域位置は周期的な時間領域位置である。
【００１９】
第２態様又はその上記のいずれか１つの可能な実現方式に関連して、第２態様の他の可能な実現方式において、前記第１ダウンリンク時間領域位置は、
前記第２情報の所在するシンボルのうちの少なくとも１つ、又は所在するタイムスロット、又は所在するタイムスロットの最後のシンボルであり、又は、
ＣＳＩ測定を行うチャネル測定リソースの所在するシンボルのうちの少なくとも１つ、又は所在するタイムスロット、又は所在するタイムスロットの最後のシンボルであり、又は、
ＣＳＩ測定を行う干渉リソースの所在するシンボルのうちの少なくとも１つ、又は所在するタイムスロット、又は所在するタイムスロットの最後のシンボルであり、又は、
ＣＳＩ参照リソースの所在するシンボルのうちの少なくとも１つ、又は所在するタイムスロット、又は所在するタイムスロットの最後のシンボルである。
【００２０】
第２態様又はその上記のいずれか１つの可能な実現方式に関連して、第２態様の他の可能な実現方式において、前記時間オフセットの時間単位長さはアップリンク伝送の時間単位長さであり、前記第１アップリンク時間領域位置を決定することは、
前記第１ダウンリンク時間領域位置を第２アップリンク時間領域位置にマッピングすることと、
前記第２アップリンク時間領域位置に前記時間オフセットのｎ倍を加算して取得した時間領域位置を、前記第１アップリンク時間領域位置として決定し、前記ｎが１以上の整数であることと、を含む。
【００２１】
第２態様又はその上記のいずれか１つの可能な実現方式に関連して、第２態様の他の可能な実現方式において、前記時間オフセットの時間単位長さはダウンリンク伝送の時間単位長さであり、前記第１アップリンク時間領域位置を決定することは、
前記第１ダウンリンク時間領域位置に前記時間オフセットのｎ倍を加算して、第２ダウンリンク時間領域位置を取得し、前記ｎが１以上の整数であることと、
前記第２ダウンリンク時間領域位置を前記第１アップリンク時間領域位置にマッピングすることと、を含む。
【００２２】
第２態様又はその上記のいずれか１つの可能な実現方式に関連して、第２態様の他の可能な実現方式において、前記時間オフセットの時間単位長さはタイムスロットである。
【００２３】
第２態様又はその上記のいずれか１つの可能な実現方式に関連して、第２態様の他の可能な実現方式において、ＣＳＩ報告を行うためのアップリンク伝送のサブキャリア間隔は、前記第１ダウンリンク時間領域位置において行うダウンリンク伝送のサブキャリア間隔と異なる。
【００２４】
第３態様ではネットワーク装置を提供し、前記ネットワーク装置は、上記第１態様又は第１態様のいずれかの可能な実現方式における方法を実行することに用いられる。具体的に、前記ネットワーク装置は上記第１態様又は第１態様のいずれかの可能な実現方式における方法を実行するための機能モジュールを備える。
【００２５】
第４態様では端末を提供し、前記端末は上記第２態様又は第２態様のいずれかの可能な実現方式における方法を実行することに用いられる。具体的に、前記端末は上記第２態様又は第２態様のいずれかの可能な実現方式における方法を実行するための機能モジュールを備える。
【００２６】
第５態様ではネットワーク装置を提供し、前記ネットワーク装置はプロセッサ、メモリ及び送受信機を備える。前記プロセッサ、前記メモリ及び前記送受信機は内部接続経路を介して互いに通信し、制御及び／又はデータ信号を伝達し、それによって、前記ネットワーク装置は上記第１態様又は第１態様のいずれかの可能な実現方式における方法を実行する。
【００２７】
第６態様では端末を提供し、前記端末はプロセッサ、メモリ及び送受信機を備える。前記プロセッサ、前記メモリ及び前記送受信機は内部接続経路を介して互いに通信し、制御及び／又はデータ信号を伝達し、それによって、前記端末は上記第２態様又は第２態様のいずれかの可能な実現方式における方法を実行する。
【発明の効果】
【００２８】
これにより、端末又はネットワーク装置は開始点としての第１ダウンリンク時間領域位置に基づいて、時間単位長さがチャネル状態情報（ＣＳＩ）報告を行うためのアップリンク伝送の時間単位長さであり、又は該第１ダウンリンク時間領域位置において行うダウンリンク伝送の時間単位長さである時間オフセットを参照して、ＣＳＩをフィードバックするためのアップリンク時間領域位置を決定することができ、アップリンク伝送（具体的にはチャネル状態情報（ＣＳＩ）報告を行うアップリンク伝送である）とダウンリンク伝送（具体的には該第１ダウンリンク時間領域位置において行うダウンリンク伝送である）の時間単位長さが異なるという情況でのＣＳＩフィードバックを実現することができ、これにより、ＣＳＩフィードバックの面で、柔軟なＮＲシステムに適応する。
【図面の簡単な説明】
【００２９】
本願実施例の技術案をより明確に説明するために、以下、実施例又は従来技術の説明に使用必要な図面を簡単に説明する。明らかに、下記図面は単に本願の一部実施例であり、当業者にとって、創造的な労力を払わない前提で、これらの図面に基づいて更に他の図面を取得することができる。
【００３０】
【図１】図１は本願実施例による無線通信システムの模式図である。
【図２】図２は本願実施例による第１ダウンリンク時間領域位置と第１アップリンク時間領域位置との位置関係図である。
【図３】図３は本願実施例による第１ダウンリンク時間領域位置と第１アップリンク時間領域位置との位置関係図である。
【図４】図４は本願実施例による第１ダウンリンク時間領域位置と第１アップリンク時間領域位置との位置関係図である。
【図５】図５は本願実施例による第１ダウンリンク時間領域位置と第１アップリンク時間領域位置との位置関係図である。
【図６】図６は本願実施例による第１ダウンリンク時間領域位置と第１アップリンク時間領域位置との位置関係図である。
【図７】図７は本願実施例によるネットワーク装置の模式的なブロック図である。
【図８】図８は本願実施例による端末の模式的なブロック図である。
【図９】図９は本願実施例によるシステムチップの模式的なブロック図である。
【図１０】図１０は本願実施例による通信装置の模式的なブロック図である。
【発明を実施するための形態】
【００３１】
以下は、本願実施例の図面を参照しながら、本願実施例における技術案を説明し、明らかに、説明される実施例は本願の一部の実施例であり、全部の実施例ではない。本願における実施例に基づいて、当業者が創造的な労働をすることなく取得した全ての他の実施例は、いずれも本願の保護範囲に属する。
【００３２】
本願実施例の技術案は各種の通信システム、例えば、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称される）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称される）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称される）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称される）、ロングタームエボリューション（Ｌｏｎｇ  Ｔｅｒｍ  Ｅｖｏｌｕｔｉｏｎ、「ＬＴＥ」と略称される）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称される）システム、ＬＴＥ時分割複信（Ｔｉｍｅ  Ｄｉｖｉｓｉｏｎ  Ｄｕｐｌｅｘ、「ＴＤＤ」と略称される）、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、「ＵＭＴＳ」と略称される）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称される）通信システム、又は将来の５Ｇシステム（新無線（ＮＲ、Ｎｅｗ  Ｒａｄｉｏ）システムと称されてもよい）等に適用できる。
【００３３】
図１は本願実施例の適用する無線通信システム１００を示す。該無線通信システム１００はネットワーク装置１１０を備えてもよい。ネットワーク装置１１０は端末装置と通信する装置であってもよい。ネットワーク装置１１０は特定の地理的区域に通信カバレッジを提供でき、そして該カバレッジ区域内に位置する端末装置（例えばＵＥ）と通信できる。選択肢として、該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、更にＬＴＥシステムにおける進化型基地局（ｅＮＢ又はｅＮｏｄｅＢ、Ｅｖｏｌｕｔｉｏｎａｌ  ＮｏｄｅＢ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線コントローラであってもよく、又は、該ネットワーク装置は中継局、アクセスポイント、車載装置、ウェアラブルデバイス、将来の５Ｇネットワークにおけるネットワーク側装置又は将来進化する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００３４】
該無線通信システム１００は更にネットワーク装置１１０のカバレッジ範囲内に位置する少なくとも１つの端末装置１２０を備える。端末装置１２０は移動式又は固定式であってもよい。選択肢として、端末装置１２０とはアクセス端末、ユーザ装置（ＵＥ、Ｕｓｅｒ  Ｅｑｕｉｐｍｅｎｔ）、加入者ユニット、加入者局、移動局、移動ステーション、遠隔局、遠隔端末、モバイルデバイス、ユーザ端末、端末、無線通信装置、ユーザエージェント、又はユーザデバイスを指してもよい。アクセス端末はセルラー方式の電話、コードレス電話、セッション開始プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を備えるハンドヘルド装置、計算装置又は無線モデムに接続される他の処理装置、車載装置、ウェアラブル装置、将来の５Ｇネットワークにおける端末装置又は将来進化するＰＬＭＮにおける端末装置等であってもよい。
【００３５】
選択肢として、端末装置１２０の間で端末ダイレクト（Ｄ２Ｄ、Ｄｅｖｉｃｅ  ｔｏ  Ｄｅｖｉｃｅ）通信ができる。
【００３６】
選択肢として、５Ｇシステム又はネットワークは更に新無線（ＮＲ、Ｎｅｗ  Ｒａｄｉｏ）システム又はネットワークと称されてもよい。
【００３７】
図１は１つのネットワーク装置と２つの端末装置を例示しているが、選択肢として、該無線通信システム１００は複数のネットワーク装置を備えてもよく、そして各ネットワーク装置のカバレッジ範囲内に他の数の端末装置を備えてもよく、本願の実施例はこれを限定しない。
【００３８】
選択肢として、該無線通信システム１００は更に、ネットワークコントローラ、移動管理エンティティ等の他のネットワークエンティティを備えてもよく、本願実施例はこれを限定しない。
【００３９】
理解されるように、本明細書における「システム」と「ネットワーク」という用語は、本明細書においてしばしば交換可能に使用される。本明細書における「及び／又は」という用語は、単に関連するオブジェクトの関連関係を説明するためのものであり、３つの関係が存在し得ることを表し、例えば、Ａ及び／又はＢという場合、Ａが単独に存在すること、ＡとＢが同時に存在すること、Ｂが単独に存在することの３つの状況を表すことができる。また、本明細書における「／」という文字は、一般的に前後の関連オブジェクトが「又は」の関係であることを表す。
【００４０】
図２は本願実施例による無線通信方法２００の模式的なフローチャートである。選択肢として、該方法２００は図１に示すシステムに適用できるが、これに限らない。図２に示すように、該方法２００は以下のステップ２１０〜Ｓ２６０の少なくとも一部の内容を含む。
【００４１】
２１０では、ネットワーク装置は第１情報を送信し、該第１情報はダウンリンク制御情報（ＤＣＩ、Ｄｏｗｎｌｉｎｋ  Ｃｏｎｔｒｏｌ  Ｉｎｆｏｒｍａｔｉｏｎ）にベアリングされ、該第１情報は非周期的なＣＳＩ報告又は準周期的なＣＳＩ報告を行うように該端末をトリガすることに用いられる。
【００４２】
該ＤＣＩは第１情報だけでなく、更に他の情報をベアリングしてもよく、本願実施例はこれについて具体的に限定しない。
【００４３】
選択肢として、非周期的なＣＳＩ報告とは、第１情報を受信した後、特定数（例えば、１回）のＣＳＩ報告を行うことを指してもよい。
【００４４】
選択肢として、準周期的なＣＳＩ報告とは、第１情報を受信した後、周期的にＣＳＩ報告を行うことを指してもよい。
【００４５】
選択肢として、準周期的なＣＳＩ報告は、ＣＳＩ報告を停止するように指示する命令を受信した後に停止してもよい。
【００４６】
２２０では、端末は該第１情報を受信する。
【００４７】
２３０では、時間オフセット及び開始点としての第１ダウンリンク時間領域位置に基づいて、端末は第１アップリンク時間領域位置を決定し、該時間オフセットの時間単位長さはチャネル状態情報（ＣＳＩ）報告を行うためのアップリンク伝送の時間単位長さであり、又は該第１ダウンリンク時間領域位置において行うダウンリンク伝送の時間単位長さである。
【００４８】
選択肢として、ネットワーク装置は端末に第２情報を送信してもよく、第２情報は該時間オフセットを含む。
【００４９】
選択肢として、該第１情報と該第２情報は同一のＤＣＩにベアリングされてもよい。
【００５０】
選択肢として、該時間オフセットは端末において事前設定されてもよい。
【００５１】
選択肢として、該時間オフセットはＲＲＣシグナリングを介して端末において事前設定されてもよい。
【００５２】
選択肢として、ネットワーク装置は無線リソース制御（ＲＲＣ、Ｒａｄｉｏ  Ｒｅｓｏｕｒｃｅ  Ｃｏｎｔｒｏｌ）を送信して複数の時間オフセットを示して、後で採用する時間オフセットをＤＣＩにおいて示してもよい。
【００５３】
選択肢として、該ネットワーク装置と端末の間のアップリンク・ダウンリンク伝送のｎｕｍｅｒｏｌｏｙ（基礎パラメータセット）は異なってもよく、具体的に、サブキャリア間隔は異なってもよく、これにより、アップリンク・ダウンリンク伝送に対応する時間単位長さは異なってもよく、該時間単位はシンボル、タイムスロット等であってもよい。
【００５４】
ネットワーク装置と端末の間のアップリンク・ダウンリンク伝送の時間単位長さが異なることは、ＣＳＩを報告するアップリンク伝送の時間単位長さが、第１ダウンリンク時間領域位置において行うダウンリンク伝送の時間単位長さと異なるということであってもよい。
【００５５】
選択肢として、該時間オフセットの時間単位長さはタイムスロットであり、即ち、該時間オフセットはタイムスロットを単位とする。しかし、理解されるように、本願実施例はこれに限らず、例えば、時間オフセットはシンボルを単位としてもよい。
【００５６】
選択肢として、本願実施例において、時間オフセットの単位長さは、チャネル状態情報（ＣＳＩ）報告を行うためのアップリンク伝送の時間単位長さと該第１ダウンリンク時間領域位置において行うダウンリンク伝送の時間単位長さのうちの比較的に小さい方である。
【００５７】
選択肢として、本願実施例において、チャネル状態情報（ＣＳＩ）報告を行うためのアップリンク伝送の時間単位長さが、該第１ダウンリンク時間領域位置において行うダウンリンク伝送の時間単位長さより小さい場合、チャネル状態情報（ＣＳＩ）報告を行うためのアップリンク伝送の時間単位長さを時間オフセットの時間単位長さとしてもよい。
【００５８】
選択肢として、本願実施例において、チャネル状態情報（ＣＳＩ）報告を行うためのアップリンク伝送の時間単位長さが、該第１ダウンリンク時間領域位置において行うダウンリンク伝送の時間単位長さより大きい場合、チャネル状態情報（ＣＳＩ）報告を行うためのアップリンク伝送の時間単位長さを時間オフセットの時間単位長さとしてもよく、該第１ダウンリンク時間領域位置において行うダウンリンク伝送の時間単位長さを時間オフセットの時間単位長さとしてもよい。
【００５９】
選択肢として、該第１情報は準周期的なＣＳＩ報告を行うように該端末をトリガすることに用いられ、該第１ダウンリンク時間領域位置は周期的な時間領域位置であり、該第１アップリンク時間領域位置は周期的な時間領域位置である。
【００６０】
選択肢として、本願実施例において、準周期的なＣＳＩ測定の場合、ＣＳＩ測定に対応するチャネル測定リソース、ＣＳＩ測定に対応する干渉リソース又はＣＳＩ参照リソースは、周期的又は準周期的であってもよい。
【００６１】
選択肢として、本願実施例において、非周期的なＣＳＩ測定の場合、ＣＳＩ測定に対応するチャネル測定リソース、ＣＳＩ測定に対応する干渉リソース又はＣＳＩ参照リソースは、周期的、準周期的又は非周期的であってもよい。
【００６２】
ＣＳＩ測定を行う時に測定の仮定を行ってもよく、ＣＳＩ参照リソースはそれらの測定の仮定を取得するためのものである。
【００６３】
理解されるように、リソースが周期的又は準周期的であることは、周期的又は準周期的なリソースにおいて伝送を行うことができることを意味するが、行われる伝送が周期的又は準周期的でなければならないということではない。
【００６４】
選択肢として、該第１ダウンリンク時間領域位置は、
該第１情報の所在するダウンリンク時間領域位置、又は、
ＣＳＩ測定を行うチャネル測定リソースの所在するダウンリンク時間領域位置、又は、
ＣＳＩ測定を行う干渉リソースの所在するダウンリンク時間領域位置、又は、
ＣＳＩ参照リソースの所在するダウンリンク時間領域位置である。
【００６５】
上記情報又はリソースの所在する時間領域位置は、情報又はリソースの所在するシンボルのうちの少なくとも１つ、所在するタイムスロット、又は所在するタイムスロットにおける少なくとも１つのシンボルであってもよい。
【００６６】
選択肢として、該第１ダウンリンク時間領域位置は、
該第１情報の所在するシンボルのうちの少なくとも１つ（例えば、１番目のシンボル又は最後のシンボル）、又は所在するタイムスロット、又は所在するタイムスロットの最後のシンボルであり、又は、
ＣＳＩ測定を行うチャネル測定リソースの所在するシンボルのうちの少なくとも１つ（例えば、１番目のシンボル又は最後のシンボル）、又は所在するタイムスロット、又は所在するタイムスロットの最後のシンボルであり、又は、
ＣＳＩ測定を行う干渉リソースの所在するシンボルのうちの少なくとも１つ（例えば、１番目のシンボル又は最後のシンボル）、又は所在するタイムスロット、又は所在するタイムスロットの最後のシンボルであり、又は、
ＣＳＩ参照リソースの所在するシンボルのうちの少なくとも１つ（例えば、１番目のシンボル又は最後のシンボル）、又は所在するタイムスロット、又は所在するタイムスロットの最後のシンボルである。
【００６７】
選択肢として、本願実施例で決定される第１アップリンク時間領域位置は、時間オフセット及び第１ダウンリンク時間領域位置に基づいて具体的にタイムスロットのどのシンボルにあるかを決定されることなく、具体的ないずれかのタイムスロットであってもよい。
【００６８】
しかし理解されるように、本願実施例はこれに限らず、本願実施例では、具体的なタイムスロットの具体的なシンボルが決定されてもよく、例えば、第１情報の所在するタイムスロットでのシンボル位置を参照しながら、第１アップリンク時間領域位置の具体的なシンボル位置が決定されてもよい。
【００６９】
選択肢として、第１情報がトリガしたのが準周期的なＣＳＩ報告である場合、第１ダウンリンク時間領域位置は、今回のＣＳＩ測定を行うチャネル測定リソースの所在するシンボルのうちの少なくとも１つ、又は所在するタイムスロット、又は所在するタイムスロットの最後のシンボルであり、又は、今回のＣＳＩ測定を行う干渉リソースの所在するシンボルのうちの少なくとも１つ、又は所在するタイムスロット、又は所在するタイムスロットの最後のシンボルであり、又は、今回のＣＳＩ測定を行うＣＳＩ参照リソースの所在するシンボルのうちの少なくとも１つ、又は所在するタイムスロット、又は所在するタイムスロットの最後のシンボルである。
【００７０】
１つの実現方式では、該時間オフセットの時間単位長さはアップリンク伝送の時間単位長さであり、該第１ダウンリンク時間領域位置を第２アップリンク時間領域位置にマッピングし、該第２アップリンク時間領域位置に該時間オフセットのｎ倍を加算して取得した時間領域位置を、該第１アップリンク時間領域位置として決定し、ｎは１以上の整数である。
【００７１】
選択肢として、第２アップリンク時間領域位置はタイムスロットであってもよい。
【００７２】
選択肢として、第１ダウンリンク時間領域位置がタイムスロットであり、そして第２アップリンク時間領域位置がタイムスロットである場合、もし第１ダウンリンク時間領域位置を複数のアップリンクタイムスロットにマッピングし、この時、アップリンクのサブキャリア間隔がダウンリンクのサブキャリア間隔より大きいなら、そのうちの１つのタイムスロット（例えば、１番目のタイムスロット又は最後のタイムスロット等）を第２アップリンク時間領域位置としてもよい。
【００７３】
選択肢として、第１情報がトリガしたのが非周期的なＣＳＩ報告である場合、第２アップリンク時間領域位置に時間オフセットを加算して第１アップリンク時間領域位置を取得してもよく、この時、ｎが１であることを意味する。
【００７４】
例えば、図３に示すように、ダウンリンク（ＤＬ、ｄｏｗｎｌｉｎｋ）のサブキャリア間隔は１５ＫＨｚであり、アップリンク（ＵＬ、ｕｐｌｉｎｋ）のサブキャリア間隔は６０ＫＨｚであり、ＣＳＩを計算してフィードバックするリソースの開始点は非周期的なＣＳＩをトリガするＤＣＩシグナリングの所在する少なくとも１つのシンボルであり、定義する時間オフセット（ｏｆｆｓｅｔ）はアップリンクｎｕｍｅｒｏｌｏｇｙに基づいて定義される。ＤＣＩシグナリングがダウンリンクのｓｌｏｔ  ｎにおける少なくとも１つのシンボルにおいて伝送され、ｏｆｆｓｅｔが３であれば、非周期的なＣＳＩの報告はアップリンクリソースにおけるｓｌｏｔ＝ｓｌｏｔ  ｍ（ＤＣＩシグナリングの所在する少なくとも１つのシンボルのマッピングしたアップリンクタイムスロット）＋３にある。
【００７５】
理解されるように、図３において、ＣＳＩを計算してフィードバックするリソースの開始点が、非周期的なＣＳＩをトリガするＤＣＩシグナリングの所在するタイムスロット又はタイムスロットの少なくとも１つのシンボルであれば、非周期的なＣＳＩの報告はアップリンクリソースにおけるｓｌｏｔ＝ｓｌｏｔ  ｍ＋１（ＤＣＩシグナリングの所在するタイムスロットのマッピングしたアップリンクタイムスロット）＋３にある。
【００７６】
例えば、図４に示すように、ダウンリンクのサブキャリア間隔は６０ＫＨｚであり、アップリンクのサブキャリア間隔は１５ＫＨｚであり、ＣＳＩを計算してフィードバックするリソースの開始点は非周期的なＣＳＩをトリガするＤＣＩシグナリングの所在するタイムスロットであり、定義する時間オフセット（ｏｆｆｓｅｔ）はアップリンクｎｕｍｅｒｏｌｏｇｙに基づいて定義される。ＤＣＩシグナリングがダウンリンクのｓｌｏｔ  ｎにおいて伝送され、ｏｆｆｓｅｔが３であれば、非周期的なＣＳＩの報告はアップリンクリソースにおけるｓｌｏｔ＝ｓｌｏｔ  ｍ（ＤＣＩシグナリングの所在するダウンリンクタイムスロットのマッピングしたアップリンクタイムスロット）＋３にある。
【００７７】
理解されるように、図４に示すように、ＣＳＩフィードバックを計算する開始点は非周期的なＣＳＩをトリガするＤＣＩシグナリングの所在する少なくとも１つのシンボルであれば、非周期的なＣＳＩの報告はアップリンクリソースにおけるｓｌｏｔ＝ｓｌｏｔ  ｍ（ＤＣＩシグナリングの所在するシンボルのマッピングしたアップリンクタイムスロット）＋３にある。
【００７８】
選択肢として、第１情報がトリガしたのが準周期的なＣＳＩである場合、もし第１ダウンリンク時間領域位置が該第１情報の所在するシンボルのうちの少なくとも１つ、又は所在するタイムスロット、又は所在するタイムスロットの最後のシンボルであれば、１回目のＣＳＩフィードバックの時、第２アップリンク時間領域位置に時間オフセットを加算して第１アップリンク時間領域位置を取得してもよく、２回目にＣＳＩフィードバックを行う時、１回目に計算した第２アップリンク時間領域位置に時間オフセットの２倍を加算して第１アップリンク時間領域位置を取得してもよい（実際の計算過程では、前回に計算した第１アップリンク時間領域位置に時間オフセットを加算して今回の計算した第１アップリンク時間領域位置を取得してもよい）。これによって類推する。
【００７９】
選択肢として、第１情報がトリガしたのが準周期的なＣＳＩである場合、もし第１ダウンリンク時間領域位置は、ＣＳＩ測定を行うチャネル測定リソースの所在するシンボルのうちの少なくとも１つ、又は所在するタイムスロット又は所在するタイムスロットの最後のシンボル、又はＣＳＩ測定を行う干渉リソースの所在するシンボルのうちの少なくとも１つ、又は所在するタイムスロット又は所在するタイムスロットの最後のシンボル、又はＣＳＩ参照リソースの所在するシンボルのうちの少なくとも１つ、又は所在するタイムスロット又は所在するタイムスロットの最後のシンボルであれば、今回に行うＣＳＩ測定のチャネルリソース、干渉リソース又は参照リソースを基準として第２アップリンク時間領域位置を決定し、そして第２アップリンク時間領域位置に時間オフセットを加算して今回のＣＳＩフィードバックの第１アップリンク時間領域位置を取得してもよい。
【００８０】
他の実現方式では、該時間オフセットの時間単位長さはダウンリンク伝送の時間単位長さであり、該第１ダウンリンク時間領域位置に該時間オフセットを加算して、第２ダウンリンク時間領域位置を取得し、該第２ダウンリンク時間領域位置を該第１アップリンク時間領域位置にマッピングする。
【００８１】
選択肢として、該第２ダウンリンク時間領域位置はタイムスロットである。
【００８２】
選択肢として、第２ダウンリンク時間領域位置がタイムスロットであり、そして第１アップリンク時間領域位置がタイムスロットである場合、もし第２ダウンリンク時間領域位置を複数のアップリンクタイムスロットにマッピングし、この時、アップリンクのサブキャリア間隔がダウンリンクのサブキャリア間隔より大きいなら、そのうちの１つのタイムスロット（例えば、１番目のタイムスロット又は最後のタイムスロット等）を第２アップリンク時間領域位置としてもよい。
【００８３】
選択肢として、第１情報がトリガしたのが非周期的なＣＳＩである場合、第１ダウンリンク時間領域位置に時間オフセットを加算して第２ダウンリンク時間領域位置を取得してもよく、この時、ｎが１であることを意味する。
【００８４】
例えば、図５に示すように、ダウンリンクのサブキャリア間隔は６０ＫＨｚであり、アップリンクのサブキャリア間隔は１５ＫＨｚであり、ＣＳＩを計算してフィードバックするリソースの開始点は非周期的なＣＳＩをトリガするＤＣＩシグナリングの所在する少なくとも１つのシンボルであり、定義する時間オフセット（ｏｆｆｓｅｔ）はダウンリンクｎｕｍｅｒｏｌｏｇｙに基づいて定義される。ＤＣＩシグナリングはｓｌｏｔ  ｎにおける少なくとも１つのシンボルにおいて伝送され、ｏｆｆｓｅｔは５であり、算出した非周期的なＣＳＩの報告のダウンリンクｎｕｍｅｒｏｌｏｇｙでのｓｌｏｔについてはｓｌｏｔ＝ｎ＋５であり、非周期的なＣＳＩの報告のアップリンクリソースでのｓｌｏｔについてはｓｌｏｔ＝ｓｌｏｔ  ｍ＋１（ｓｌｏｔ  ｎ＋５がマッピングしたアップリンクスロット）である。
【００８５】
理解されるように、図５に示すように、ＣＳＩを計算してフィードバックするリソースの開始点は非周期的なＣＳＩをトリガするＤＣＩシグナリングの所在するタイムスロット、又は所在するタイムスロットの少なくとも１つのシンボルであり、非周期的なＣＳＩの報告はアップリンクリソースにおけるｓｌｏｔ＝ｓｌｏｔ  ｍ＋１にある。
【００８６】
例えば、図６に示すように、ＣＳＩを計算してフィードバックするリソースの開始点は非周期的なＣＳＩをトリガするＤＣＩシグナリングの所在する少なくとも１つのシンボルであり、定義する時間オフセット（ｏｆｆｓｅｔ）はダウンリンクｎｕｍｅｒｏｌｏｇｙに基づいて定義される。ＤＣＩシグナリングはｓｌｏｔ  ｎにおける少なくとも１つのシンボルにおいて伝送され、ｏｆｆｓｅｔは１であり、算出した非周期的なＣＳＩの報告のダウンリンクｎｕｍｅｒｏｌｏｇｙでのｓｌｏｔについてはｓｌｏｔ＝ｎ＋１であり、ｓｌｏｔ  ｎ＋１は複数のアップリンクタイムスロットにマッピングできるため、そのうちの１つのタイムスロット（例えば、最後のタイムスロット又は１番目のタイムスロット等）をＣＳＩをフィードバックするタイムスロットとしてもよい。例えば、図３に示すように、マッピングした最後のタイムスロットｍ＋５のところにおいてＣＳＩフィードバックを行ってもよい。
【００８７】
選択肢として、図６に示す場合について、ｏｆｆｓｅｔは比較的に小さい時間単位に基づいて定義されてもよく、具体的にアップリンクｎｕｍｅｒｏｌｏｇｙに基づいて定義されてもよい。
【００８８】
選択肢として、第１情報がトリガしたのが準周期的なＣＳＩである場合、もし第１ダウンリンク時間領域位置は、該第１情報の所在するシンボルのうちの少なくとも１つ、又は所在するタイムスロット、又は所在するタイムスロットの最後のシンボルであれば、１回目のＣＳＩフィードバックの時、第１ダウンリンク時間領域位置に時間オフセットを加算して第２ダウンリンク時間領域位置を取得してもよく、２回目にＣＳＩフィードバックを行う時、第１ダウンリンク時間領域位置に時間オフセットの２倍を加算して第２ダウンリンク時間領域位置を取得してもよい（実際の計算過程では、前回に計算した第２ダウンリンク時間領域位置に時間オフセットを加算して今回の計算した第２ダウンリンク時間領域位置を取得してもよい）。これによって類推する。
【００８９】
選択肢として、第１情報がトリガしたのが準周期的なＣＳＩである場合、もし第１ダウンリンク時間領域位置は、ＣＳＩ測定を行うチャネル測定リソースの所在するシンボルのうちの少なくとも１つ、又は所在するタイムスロット又は所在するタイムスロットの最後のシンボル、又はＣＳＩ測定を行う干渉リソースの所在するシンボルのうちの少なくとも１つ、又は所在するタイムスロット又は所在するタイムスロットの最後のシンボル、又はＣＳＩ参照リソースの所在するシンボルのうちの少なくとも１つ、又は所在するタイムスロット又は所在するタイムスロットの最後のシンボルであれば、今回に行うＣＳＩ測定のチャネルリソース、干渉リソース又は参照リソースを第１ダウンリンク時間領域位置とし、そして第１ダウンリンク時間領域位置に時間オフセットを加算して今回のＣＳＩフィードバックに対応する第２ダウンリンク時間領域位置を取得してもよい。
【００９０】
選択肢として、ＣＳＩ報告を行うためのアップリンク伝送のサブキャリア間隔は、該第１ダウンリンク時間領域位置において行うダウンリンク伝送のサブキャリア間隔と異なる。
【００９１】
２４０では、該第１アップリンク時間領域位置において、端末はＣＳＩを報告する。
【００９２】
２５０では、時間オフセット及び開始点としての第１ダウンリンク時間領域位置に基づいて、ネットワーク装置は第１アップリンク時間領域位置を決定し、該時間オフセットの時間単位長さはチャネル状態情報（ＣＳＩ）報告を行うためのアップリンク伝送の時間単位長さであり、又は該第１ダウンリンク時間領域位置において行うダウンリンク伝送の時間単位長さである。
【００９３】
選択肢として、本願実施例において、ネットワーク装置は第１情報を送信し、該第１情報は該端末に該時間オフセットを示すことに用いられる。
【００９４】
１つの実現方式では、該時間オフセットの時間単位長さはアップリンク伝送の時間単位長さであり、該第１ダウンリンク時間領域位置を第２アップリンク時間領域位置にマッピングし、該第２アップリンク時間領域位置に該時間オフセットを加算して取得した時間領域位置を、該第１アップリンク時間領域位置として決定する。
【００９５】
他の実現方式では、該時間オフセットの時間単位長さはダウンリンク伝送の時間単位長さであり、該第１ダウンリンク時間領域位置に該時間オフセットを加算して、第２ダウンリンク時間領域位置を取得し、該第２ダウンリンク時間領域位置を該第１アップリンク時間領域位置にマッピングする。
【００９６】
ネットワーク装置が第１アップリンク時間領域位置を決定する方式については端末側の説明を参照でき、簡潔のために、ここでは繰り返して説明しない。
【００９７】
２６０では、該第１アップリンク時間領域位置において、ネットワーク装置は端末から報告されたＣＳＩを受信する。
【００９８】
これにより、端末又はネットワーク装置は開始点としての第１ダウンリンク時間領域位置に基づいて、時間単位長さがチャネル状態情報（ＣＳＩ）報告を行うためのアップリンク伝送の時間単位長さであり、又は該第１ダウンリンク時間領域位置において行うダウンリンク伝送の時間単位長さである時間オフセットを参照して、ＣＳＩをフィードバックするためのアップリンク時間領域位置を決定することができ、アップリンク伝送（具体的にはチャネル状態情報（ＣＳＩ）報告を行うアップリンク伝送である）とダウンリンク伝送（具体的には該第１ダウンリンク時間領域位置において行うダウンリンク伝送である）の時間単位長さが異なるという情況でのＣＳＩフィードバックを実現することができ、これにより、ＣＳＩフィードバックの面で、柔軟なＮＲシステムに適応する。そして更に、本発明はネットワーク装置と端末に同じルールを採用して非周期的又は準周期的なＣＳＩ報告のアップリンク時間領域位置を算出することで、端末とネットワーク装置が同じ位置において非周期的又は準周期的なＣＳＩの伝送及び受信を行うように確保し、システムが報告されたＣＳＩに従って最適なスケジューリングを行うように確保する。
【００９９】
図７は本願実施例によるネットワーク装置３００の模式的なブロック図である。図７に示すように、該ネットワーク装置３００は通信ユニット３１０と処理ユニット３２０を備え、
前記通信ユニット３１０は第１情報を送信することに用いられ、前記第１情報はダウンリンク制御情報（ＤＣＩ）にベアリングされ、前記第１情報は非周期的なチャネル状態情報（ＣＳＩ）報告又は準周期的なＣＳＩ報告を行うように前記端末をトリガすることに用いられ、
前記処理ユニットは時間オフセット及び開始点としての第１ダウンリンク時間領域位置に基づいて第１アップリンク時間領域位置を決定することに用いられ、前記時間オフセットの時間単位長さはＣＳＩ報告を行うためのアップリンク伝送の時間単位長さであり、又は前記第１ダウンリンク時間領域位置において行うダウンリンク伝送の時間単位長さであり、
前記通信ユニットは更に、前記第１アップリンク時間領域位置において、端末から報告されたＣＳＩを受信することに用いられる。
【０１００】
選択肢として、前記通信ユニット３１０は更に、第２情報を送信することに用いられ、前記第２情報は前記時間オフセットを前記端末に示すことに用いられる。
【０１０１】
選択肢として、前記第２情報と前記第１情報は同一のダウンリンク制御情報（ＤＣＩ）にベアリングされる。
【０１０２】
選択肢として、前記第１情報は準周期的なＣＳＩ報告を行うように前記端末をトリガすることに用いられ、前記第１ダウンリンク時間領域位置は周期的な時間領域位置であり、前記第１アップリンク時間領域位置は周期的な時間領域位置である。
【０１０３】
選択肢として、前記第１ダウンリンク時間領域位置は、
前記第１情報の所在するシンボルのうちの少なくとも１つ、又は所在するタイムスロット、又は所在するタイムスロットの最後のシンボルであり、又は、
ＣＳＩ測定を行うチャネル測定リソースの所在するシンボルのうちの少なくとも１つ、又は所在するタイムスロット、又は所在するタイムスロットの最後のシンボルであり、又は、
ＣＳＩ測定を行う干渉リソースの所在するシンボルのうちの少なくとも１つ、又は所在するタイムスロット、又は所在するタイムスロットの最後のシンボルであり、又は、
ＣＳＩ参照リソースの所在するシンボルのうちの少なくとも１つ、又は所在するタイムスロット、又は所在するタイムスロットの最後のシンボルである。
【０１０４】
選択肢として、前記時間オフセットの時間単位長さはアップリンク伝送の時間単位長さであり、前記処理ユニット３２０は更に、
前記第１ダウンリンク時間領域位置を第２アップリンク時間領域位置にマッピングすることと、
前記第２アップリンク時間領域位置に前記時間オフセットのｎ倍を加算して取得した時間領域位置を、前記第１アップリンク時間領域位置として決定し、ｎが１以上の整数であることと、に用いられる。
【０１０５】
選択肢として、前記時間オフセットの時間単位長さはダウンリンク伝送の時間単位長さであり、前記処理ユニット３２０は更に、
前記第１ダウンリンク時間領域位置に前記時間オフセットのｎ倍を加算して、第２ダウンリンク時間領域位置を取得し、ｎが１以上の整数であることと、
前記第２ダウンリンク時間領域位置を前記第１アップリンク時間領域位置にマッピングすることと、に用いられる。
【０１０６】
選択肢として、前記時間オフセットの時間単位長さはタイムスロットである。
【０１０７】
選択肢として、ＣＳＩ報告を行うためのアップリンク伝送のサブキャリア間隔は、前記第１ダウンリンク時間領域位置において行うダウンリンク伝送のサブキャリア間隔と異なる。
【０１０８】
理解されるように、該ネットワーク装置３００は方法２００におけるネットワーク装置に対応して、該方法２００におけるネットワーク装置の相応の操作を実現することができ、簡潔のために、ここでは繰り返して説明しない。
【０１０９】
図８は本願実施例による端末４００の模式的なブロック図である。図８に示すように、該端末４００は通信ユニット４１０と処理ユニット４２０を備え、
通信ユニット４１０は第１情報を受信することに用いられ、前記第１情報はダウンリンク制御情報（ＤＣＩ）にベアリングされ、前記第１情報は非周期的なチャネル状態情報（ＣＳＩ）報告又は準周期的なＣＳＩ報告をトリガすることに用いられ、
前記処理ユニット４２０は時間オフセット及び開始点としての第１ダウンリンク時間領域位置に基づいて第１アップリンク時間領域位置を決定することに用いられ、前記時間オフセットの時間単位長さはＣＳＩ報告を行うためのアップリンク伝送の時間単位長さであり、又は前記第１ダウンリンク時間領域位置において行うダウンリンク伝送の時間単位長さであり、
前記通信ユニット４１０は更に、前記第１アップリンク時間領域位置においてＣＳＩを報告することに用いられる。
【０１１０】
選択肢として、前記通信ユニット４１０は更に、第２情報を受信することに用いられ、前記第２情報は前記時間オフセットを示すことに用いられる。
【０１１１】
選択肢として、前記第２情報と前記第１情報は同一のダウンリンク制御情報（ＤＣＩ）にベアリングされる。
【０１１２】
選択肢として、前記第１情報は準周期的なＣＳＩ報告を行うように前記端末をトリガすることに用いられ、前記第１ダウンリンク時間領域位置は周期的な時間領域位置であり、前記第１アップリンク時間領域位置は周期的な時間領域位置である。
【０１１３】
選択肢として、前記第１ダウンリンク時間領域位置は、
前記第２情報の所在するシンボルのうちの少なくとも１つ、又は所在するタイムスロット、又は所在するタイムスロットの最後のシンボルであり、又は、
ＣＳＩ測定を行うチャネル測定リソースの所在するシンボルのうちの少なくとも１つ、又は所在するタイムスロット、又は所在するタイムスロットの最後のシンボルであり、又は、
ＣＳＩ測定を行う干渉リソースの所在するシンボルのうちの少なくとも１つ、又は所在するタイムスロット、又は所在するタイムスロットの最後のシンボルであり、又は、
ＣＳＩ参照リソースの所在するシンボルのうちの少なくとも１つ、又は所在するタイムスロット、又は所在するタイムスロットの最後のシンボルである。
【０１１４】
選択肢として、前記時間オフセットの時間単位長さはアップリンク伝送の時間単位長さであり、前記処理ユニットは更に、
前記第１ダウンリンク時間領域位置を第２アップリンク時間領域位置にマッピングすることと、
前記第２アップリンク時間領域位置に前記時間オフセットのｎ倍を加算して取得した時間領域位置を、前記第１アップリンク時間領域位置として決定し、ｎが１以上の整数であることと、に用いられる。
【０１１５】
選択肢として、前記時間オフセットの時間単位長さはダウンリンク伝送の時間単位長さであり、前記処理ユニットは更に、
前記第１ダウンリンク時間領域位置に前記時間オフセットのｎ倍を加算して、第２ダウンリンク時間領域位置を取得し、ｎが１以上の整数であることと、
前記第２ダウンリンク時間領域位置を前記第１アップリンク時間領域位置にマッピングすることと、に用いられる。
【０１１６】
選択肢として、前記時間オフセットの時間単位長さはタイムスロットである。
【０１１７】
選択肢として、ＣＳＩ報告を行うためのアップリンク伝送のサブキャリア間隔は、前記第１ダウンリンク時間領域位置において行うダウンリンク伝送のサブキャリア間隔と異なる。
【０１１８】
理解されるように、端末４００は方法２００における端末に対応でき、方法２００における端末の相応の操作を実現することができ、簡潔のために、ここでは繰り返して説明しない。
【０１１９】
図９は入力インタフェース８０１、出力インタフェース８０２、プロセッサ８０３、メモリ８０４を備え、前記入力インタフェース８０１、出力インタフェース８０２、プロセッサ８０３、及びメモリ８０４の間には内部通信接続回路で接続されてもよく、前記プロセッサ８０３は前記メモリ８０４におけるコードを実行することに用いられる。
【０１２０】
選択肢として、前記コードが実行される時、前記プロセッサ８０３は方法実施例における、ネットワーク装置によって実行される方法を実現する。簡潔のために、ここでは繰り返して説明しない。
【０１２１】
選択肢として、前記コードが実行される時、前記プロセッサ８０３は方法実施例における、端末装置によって実行される方法を実現する。簡潔のために、ここでは繰り返して説明しない。
【０１２２】
図１０は本願実施例による通信装置９００の模式的なブロック図である。図１０に示すように、該通信装置９００はプロセッサ９１０及びメモリ９２０を備える。該メモリ９２０にプログラムコードが記憶されてもよく、該プロセッサ９１０は該メモリ９２０に記憶されるプログラムコードを実行してもよい。
【０１２３】
選択肢として、図１０に示すように、該通信装置９００は送受信機９３０を備えてもよく、プロセッサ９１０は送受信機９３０の対外通信を制御してもよい。
【０１２４】
選択肢として、該プロセッサ９１０はメモリ９２０に記憶されるプログラムコードを呼び出して、方法実施例におけるネットワーク装置の相応の操作を実行することができ、簡潔のために、ここでは繰り返して説明しない。
【０１２５】
選択肢として、該プロセッサ９１０はメモリ９２０に記憶されるプログラムコードを呼び出して、方法実施例における端末装置の相応の操作を実行することができ、簡潔のために、ここでは繰り返して説明しない。
【０１２６】
理解されるように、本願実施例のプロセッサは信号処理機能を有する集積回路チップであり得る。実現過程において、上記方法実施例の各ステップはプロセッサにおけるハードウェアの集積論理回路又はソフトウェア形式の命令で遂行できる。上記プロセッサは汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブル論理デバイス、個別ゲート又はトランジスタ論理デバイス、個別ハードウェア構成要素であってもよい。本願実施例に開示される各方法、ステップ及び論理ブロック図を実現又は実行することができる。汎用プロセッサはマイクロプロセッサであってもよく、又は該プロセッサは如何なる通常のプロセッサ等であってもよい。本願実施例に開示される方法のステップはハードウェア復号プロセッサで遂行し、又は復号プロセッサにおけるハードウェア及びソフトウェアモジュールの組み合わせで遂行するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを遂行する。
【０１２７】
理解できるように、本願実施例において、メモリは揮発性メモリ又は不揮発性メモリであってもよく、又は、揮発性メモリと不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリはランダムアクセスメモリ（ＲＡＭ、Ｒａｎｄｏｍ  Ａｃｃｅｓｓ  Ｍｅｍｏｒｙ）であってもよく、それが外部キャッシュメモリとして使用される。制限的ではなく、例示的な説明として、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）は利用可能である。なお、本明細書に説明されるシステム及び方法のメモリはこれらのメモリ及び任意の他の適切なタイプのメモリを含むが、これらに限らないように意図されている。
【０１２８】
当業者が意識できるように、本明細書に開示される実施例を参照して説明した各例示的なユニット及びアルゴリズムステップは、電子ハードウェア、又はコンピュータソフトウェアと電子ハードウェアの組み合わせで実現できる。これらの機能をハードウェアそれともソフトウェア方式で実行するかは、技術案の特定応用及び設計制約条件によって決定される。当業者は各特定応用に応じて異なる方法でここの説明される機能を実現することができるが、このような実現は本願の範囲を超えるものと見なされるべきではない。
【０１２９】
当業者が明確に理解できるように、説明を容易で簡単にするために、上記説明されたシステム、装置及びユニットの具体的な動作過程については、前述の方法実施例における対応の過程を参照でき、ここでは詳細な説明を省略する。
【０１３０】
本願に係る幾つかの実施例において、理解されるように、開示されるシステム、装置及び方法は他の方式で実現されてもよい。例えば、上記の装置の実施例は単に模式的なものであり、例えば、説明したユニットの区分は論理的な機能区分に過ぎず、実際の実施では他の区分方式があってもよく、例えば、複数のユニット又はコンポーネントが組み合わせられてもよく、又は他のシステムに統合されてもよく、又は幾つかの特徴が省略されても、又は実行されなくてもよい。なお、表示又は検討される相互間の結合又は直接結合又は通信接続は、幾つかのインターフェース、装置又はユニットを介した間接結合又は通信接続であってよく、電気的、機械的、又は他の形態であってよい。
【０１３１】
分離部材として説明された前記ユニットは物理的に分離したものであってもでなくてもよく、ユニットとして表示された部材は物理ユニットであってもでなくてもよく、即ち、一箇所に位置してもよく、又は複数のネットワークユニットに分散されてもよい。実際の需要に応じてその一部又は全部のユニットを選択して、本実施例案の目的を実現してもよい。
【０１３２】
また、本願の各実施例において、各機能ユニットは１つの処理ユニットに統合されてもよく、各ユニットは独立して物理的に存在してもよく、２つ以上のユニットは１つのユニットに統合されてもよい。
【０１３３】
前記機能がソフトウェア機能ユニットの形で実現され、そして独立した製品として販売又は使用される場合、コンピュータ読み取り可能な記憶媒体に記憶されてもよい。このような理解に基づいて、本願の技術案の本質又は従来技術に貢献する部分、又は該技術案の一部はソフトウェア製品の形式で具現されてもよく、該コンピュータソフトウェア製品は１つの記憶媒体に記憶され、該コンピュータソフトウェア製品は、１台のコンピュータ装置（パーソナルコンピュータ、サーバ又はネットワーク装置等であってもよい）に本願の各実施例に記載の方法の全部又は一部のステップを実行させるための若干の命令を含む。前述の記憶媒体はＵＳＢディスク、リムーバブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等の、プログラムコードを記憶できる各種の媒体を含む。
【０１３４】
以上の説明は本願の具体的な実施形態に過ぎず、本願の保護範囲を制限するためのものではなく、当業者が本願に開示される技術的範囲内において容易に想到し得る変更や置換は、いずれも本願の保護範囲内に含まれるべきである。従って、本願の保護範囲は特許請求の範囲に記載の保護範囲に準じるべきである。
【図１】
2021515449.tif 000003
【図２】
2021515449.tif 000004
【図３】
2021515449.tif 000005
【図４】
2021515449.tif 000006
【図５】
2021515449.tif 000007
【図６】
2021515449.tif 000008
【図７】
2021515449.tif 000009
【図８】
2021515449.tif 000010
【図９】
2021515449.tif 000011
【図１０】
2021515449.tif 000012
【手続補正書】
【提出日】令和2年8月19日(2020.8.19)
【手続補正１】
【補正対象書類名】明細書
【補正対象項目名】０００６
【補正方法】変更
【補正の内容】
【０００６】
第１態様では無線通信方法を提供し、
第１情報を送信し、前記第１情報はダウンリンク制御情報（ＤＣＩ）にベアリングされ、前記第１情報は非周期的なチャネル状態情報（ＣＳＩ）報告又は半連続的なＣＳＩ報告を行うように前記端末をトリガすることに用いられることと、
時間オフセット及び開始点としての第１ダウンリンク時間領域位置に基づいて、第１アップリンク時間領域位置を決定し、前記時間オフセットの時間単位長さはＣＳＩ報告を行うためのアップリンク伝送の時間単位長さであり、又は前記第１ダウンリンク時間領域位置において行うダウンリンク伝送の時間単位長さであることと、
前記第１アップリンク時間領域位置において、端末から報告されたＣＳＩを受信することと、を含む。
【手続補正２】
【補正対象書類名】明細書
【補正対象項目名】０００９
【補正方法】変更
【補正の内容】
【０００９】
第１態様又はその上記のいずれか１つの可能な実現方式に関連して、第１態様の他の可能な実現方式において、前記第１情報は半連続的なＣＳＩ報告を行うように前記端末をトリガすることに用いられ、前記第１ダウンリンク時間領域位置は周期的な時間領域位置であり、前記第１アップリンク時間領域位置は周期的な時間領域位置である。
【手続補正３】
【補正対象書類名】明細書
【補正対象項目名】００１５
【補正方法】変更
【補正の内容】
【００１５】
第２態様では無線通信方法を提供し、
第１情報を受信し、前記第１情報はダウンリンク制御情報（ＤＣＩ）にベアリングされ、前記第１情報は非周期的なチャネル状態情報（ＣＳＩ）報告又は半連続的なＣＳＩ報告をトリガすることに用いられることと、
時間オフセット及び開始点としての第１ダウンリンク時間領域位置に基づいて、第１アップリンク時間領域位置を決定し、前記時間オフセットの時間単位長さはＣＳＩ報告を行うためのアップリンク伝送の時間単位長さであり、又は前記第１ダウンリンク時間領域位置において行うダウンリンク伝送の時間単位長さであることと、
前記第１アップリンク時間領域位置においてＣＳＩを報告することと、を含む。
【手続補正４】
【補正対象書類名】明細書
【補正対象項目名】００１８
【補正方法】変更
【補正の内容】
【００１８】
第２態様又はその上記のいずれか１つの可能な実現方式に関連して、第２態様の他の可能な実現方式において、前記第１情報は半連続的なＣＳＩ報告を行うように前記端末をトリガすることに用いられ、前記第１ダウンリンク時間領域位置は周期的な時間領域位置であり、前記第１アップリンク時間領域位置は周期的な時間領域位置である。
【手続補正５】
【補正対象書類名】明細書
【補正対象項目名】００３３
【補正方法】変更
【補正の内容】
【００３３】
図１は本願実施例の適用する無線通信システム１００を示す。該無線通信システム１００はネットワーク装置１１０を備えてもよい。ネットワーク装置１１０は端末装置と通信する装置であってもよい。ネットワーク装置１１０は特定の地理的区域に通信カバレッジを提供でき、そして該カバレッジ区域内に位置する端末装置（例えばＵＥ）と通信できる。選択肢として、該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、更にＬＴＥシステムにおける進化型基地局（ｅＮＢ又はｅＮｏｄｅＢ、Ｅｖｏｌｕｔｉｏｎａｌ  ＮｏｄｅＢ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線コントローラであってもよく、又は、該ネットワーク装置は中継局、アクセスポイント、車載装置、ウェアラブルデバイス、将来の５Ｇネットワークにおけるネットワーク側装置又は将来進化する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【手続補正６】
【補正対象書類名】明細書
【補正対象項目名】００４１
【補正方法】変更
【補正の内容】
【００４１】
２１０では、ネットワーク装置は第１情報を送信し、該第１情報はダウンリンク制御情報（ＤＣＩ、Ｄｏｗｎｌｉｎｋ  Ｃｏｎｔｒｏｌ  Ｉｎｆｏｒｍａｔｉｏｎ）にベアリングされ、該第１情報は非周期的なＣＳＩ報告又は半連続的なＣＳＩ報告を行うように該端末をトリガすることに用いられる。
【手続補正７】
【補正対象書類名】明細書
【補正対象項目名】００４４
【補正方法】変更
【補正の内容】
【００４４】
選択肢として、半連続的なＣＳＩ報告とは、第１情報を受信した後、周期的にＣＳＩ報告を行うことを指してもよい。
【手続補正８】
【補正対象書類名】明細書
【補正対象項目名】００４５
【補正方法】変更
【補正の内容】
【００４５】
選択肢として、半連続的なＣＳＩ報告は、ＣＳＩ報告を停止するように指示する命令を受信した後に停止してもよい。
【手続補正９】
【補正対象書類名】明細書
【補正対象項目名】００５９
【補正方法】変更
【補正の内容】
【００５９】
選択肢として、該第１情報は半連続的なＣＳＩ報告を行うように該端末をトリガすることに用いられ、該第１ダウンリンク時間領域位置は周期的な時間領域位置であり、該第１アップリンク時間領域位置は周期的な時間領域位置である。
【手続補正１０】
【補正対象書類名】明細書
【補正対象項目名】００６０
【補正方法】変更
【補正の内容】
【００６０】
選択肢として、本願実施例において、半連続的なＣＳＩ測定の場合、ＣＳＩ測定に対応するチャネル測定リソース、ＣＳＩ測定に対応する干渉リソース又はＣＳＩ参照リソースは、周期的又は半連続的なであってもよい。
【手続補正１１】
【補正対象書類名】明細書
【補正対象項目名】００６１
【補正方法】変更
【補正の内容】
【００６１】
選択肢として、本願実施例において、非周期的なＣＳＩ測定の場合、ＣＳＩ測定に対応するチャネル測定リソース、ＣＳＩ測定に対応する干渉リソース又はＣＳＩ参照リソースは、周期的、半連続的又は非周期的であってもよい。
【手続補正１２】
【補正対象書類名】明細書
【補正対象項目名】００６３
【補正方法】変更
【補正の内容】
【００６３】
理解されるように、リソースが周期的又は準周期的であることは、周期的又は半連続的なリソースにおいて伝送を行うことができることを意味するが、行われる伝送が周期的又は半連続的でなければならないということではない。
【手続補正１３】
【補正対象書類名】明細書
【補正対象項目名】００６９
【補正方法】変更
【補正の内容】
【００６９】
選択肢として、第１情報がトリガしたのが半連続的なＣＳＩ報告である場合、第１ダウンリンク時間領域位置は、今回のＣＳＩ測定を行うチャネル測定リソースの所在するシンボルのうちの少なくとも１つ、又は所在するタイムスロット、又は所在するタイムスロットの最後のシンボルであり、又は、今回のＣＳＩ測定を行う干渉リソースの所在するシンボルのうちの少なくとも１つ、又は所在するタイムスロット、又は所在するタイムスロットの最後のシンボルであり、又は、今回のＣＳＩ測定を行うＣＳＩ参照リソースの所在するシンボルのうちの少なくとも１つ、又は所在するタイムスロット、又は所在するタイムスロットの最後のシンボルである。
【手続補正１４】
【補正対象書類名】明細書
【補正対象項目名】００７８
【補正方法】変更
【補正の内容】
【００７８】
選択肢として、第１情報がトリガしたのが半連続的なＣＳＩである場合、もし第１ダウンリンク時間領域位置が該第１情報の所在するシンボルのうちの少なくとも１つ、又は所在するタイムスロット、又は所在するタイムスロットの最後のシンボルであれば、１回目のＣＳＩフィードバックの時、第２アップリンク時間領域位置に時間オフセットを加算して第１アップリンク時間領域位置を取得してもよく、２回目にＣＳＩフィードバックを行う時、１回目に計算した第２アップリンク時間領域位置に時間オフセットの２倍を加算して第１アップリンク時間領域位置を取得してもよい（実際の計算過程では、前回に計算した第１アップリンク時間領域位置に時間オフセットを加算して今回の計算した第１アップリンク時間領域位置を取得してもよい）。これによって類推する。
【手続補正１５】
【補正対象書類名】明細書
【補正対象項目名】００７９
【補正方法】変更
【補正の内容】
【００７９】
選択肢として、第１情報がトリガしたのが半連続的なＣＳＩである場合、もし第１ダウンリンク時間領域位置は、ＣＳＩ測定を行うチャネル測定リソースの所在するシンボルのうちの少なくとも１つ、又は所在するタイムスロット又は所在するタイムスロットの最後のシンボル、又はＣＳＩ測定を行う干渉リソースの所在するシンボルのうちの少なくとも１つ、又は所在するタイムスロット又は所在するタイムスロットの最後のシンボル、又はＣＳＩ参照リソースの所在するシンボルのうちの少なくとも１つ、又は所在するタイムスロット又は所在するタイムスロットの最後のシンボルであれば、今回に行うＣＳＩ測定のチャネルリソース、干渉リソース又は参照リソースを基準として第２アップリンク時間領域位置を決定し、そして第２アップリンク時間領域位置に時間オフセットを加算して今回のＣＳＩフィードバックの第１アップリンク時間領域位置を取得してもよい。
【手続補正１６】
【補正対象書類名】明細書
【補正対象項目名】００８８
【補正方法】変更
【補正の内容】
【００８８】
選択肢として、第１情報がトリガしたのが半連続的なＣＳＩである場合、もし第１ダウンリンク時間領域位置は、該第１情報の所在するシンボルのうちの少なくとも１つ、又は所在するタイムスロット、又は所在するタイムスロットの最後のシンボルであれば、１回目のＣＳＩフィードバックの時、第１ダウンリンク時間領域位置に時間オフセットを加算して第２ダウンリンク時間領域位置を取得してもよく、２回目にＣＳＩフィードバックを行う時、第１ダウンリンク時間領域位置に時間オフセットの２倍を加算して第２ダウンリンク時間領域位置を取得してもよい（実際の計算過程では、前回に計算した第２ダウンリンク時間領域位置に時間オフセットを加算して今回の計算した第２ダウンリンク時間領域位置を取得してもよい）。これによって類推する。
【手続補正１７】
【補正対象書類名】明細書
【補正対象項目名】００８９
【補正方法】変更
【補正の内容】
【００８９】
選択肢として、第１情報がトリガしたのが半連続的なＣＳＩである場合、もし第１ダウンリンク時間領域位置は、ＣＳＩ測定を行うチャネル測定リソースの所在するシンボルのうちの少なくとも１つ、又は所在するタイムスロット又は所在するタイムスロットの最後のシンボル、又はＣＳＩ測定を行う干渉リソースの所在するシンボルのうちの少なくとも１つ、又は所在するタイムスロット又は所在するタイムスロットの最後のシンボル、又はＣＳＩ参照リソースの所在するシンボルのうちの少なくとも１つ、又は所在するタイムスロット又は所在するタイムスロットの最後のシンボルであれば、今回に行うＣＳＩ測定のチャネルリソース、干渉リソース又は参照リソースを第１ダウンリンク時間領域位置とし、そして第１ダウンリンク時間領域位置に時間オフセットを加算して今回のＣＳＩフィードバックに対応する第２ダウンリンク時間領域位置を取得してもよい。
【手続補正１８】
【補正対象書類名】明細書
【補正対象項目名】００９８
【補正方法】変更
【補正の内容】
【００９８】
これにより、端末又はネットワーク装置は開始点としての第１ダウンリンク時間領域位置に基づいて、時間単位長さがチャネル状態情報（ＣＳＩ）報告を行うためのアップリンク伝送の時間単位長さであり、又は該第１ダウンリンク時間領域位置において行うダウンリンク伝送の時間単位長さである時間オフセットを参照して、ＣＳＩをフィードバックするためのアップリンク時間領域位置を決定することができ、アップリンク伝送（具体的にはチャネル状態情報（ＣＳＩ）報告を行うアップリンク伝送である）とダウンリンク伝送（具体的には該第１ダウンリンク時間領域位置において行うダウンリンク伝送である）の時間単位長さが異なるという情況でのＣＳＩフィードバックを実現することができ、これにより、ＣＳＩフィードバックの面で、柔軟なＮＲシステムに適応する。そして更に、本発明はネットワーク装置と端末に同じルールを採用して非周期的又は半連続的なＣＳＩ報告のアップリンク時間領域位置を算出することで、端末とネットワーク装置が同じ位置において非周期的又は半連続的なＣＳＩの伝送及び受信を行うように確保し、システムが報告されたＣＳＩに従って最適なスケジューリングを行うように確保する。
【手続補正１９】
【補正対象書類名】明細書
【補正対象項目名】００９９
【補正方法】変更
【補正の内容】
【００９９】
図７は本願実施例によるネットワーク装置３００の模式的なブロック図である。図７に示すように、該ネットワーク装置３００は通信ユニット３１０と処理ユニット３２０を備え、
前記通信ユニット３１０は第１情報を送信することに用いられ、前記第１情報はダウンリンク制御情報（ＤＣＩ）にベアリングされ、前記第１情報は非周期的なチャネル状態情報（ＣＳＩ）報告又は半連続的なＣＳＩ報告を行うように前記端末をトリガすることに用いられ、
前記処理ユニットは時間オフセット及び開始点としての第１ダウンリンク時間領域位置に基づいて第１アップリンク時間領域位置を決定することに用いられ、前記時間オフセットの時間単位長さはＣＳＩ報告を行うためのアップリンク伝送の時間単位長さであり、又は前記第１ダウンリンク時間領域位置において行うダウンリンク伝送の時間単位長さであり、
前記通信ユニットは更に、前記第１アップリンク時間領域位置において、端末から報告されたＣＳＩを受信することに用いられる。
【手続補正２０】
【補正対象書類名】明細書
【補正対象項目名】０１０２
【補正方法】変更
【補正の内容】
【０１０２】
選択肢として、前記第１情報は半連続的なＣＳＩ報告を行うように前記端末をトリガすることに用いられ、前記第１ダウンリンク時間領域位置は周期的な時間領域位置であり、前記第１アップリンク時間領域位置は周期的な時間領域位置である。
【手続補正２１】
【補正対象書類名】明細書
【補正対象項目名】０１０９
【補正方法】変更
【補正の内容】
【０１０９】
図８は本願実施例による端末４００の模式的なブロック図である。図８に示すように、該端末４００は通信ユニット４１０と処理ユニット４２０を備え、
通信ユニット４１０は第１情報を受信することに用いられ、前記第１情報はダウンリンク制御情報（ＤＣＩ）にベアリングされ、前記第１情報は非周期的なチャネル状態情報（ＣＳＩ）報告又は半連続的なＣＳＩ報告をトリガすることに用いられ、
前記処理ユニット４２０は時間オフセット及び開始点としての第１ダウンリンク時間領域位置に基づいて第１アップリンク時間領域位置を決定することに用いられ、前記時間オフセットの時間単位長さはＣＳＩ報告を行うためのアップリンク伝送の時間単位長さであり、又は前記第１ダウンリンク時間領域位置において行うダウンリンク伝送の時間単位長さであり、
前記通信ユニット４１０は更に、前記第１アップリンク時間領域位置においてＣＳＩを報告することに用いられる。
【手続補正２２】
【補正対象書類名】明細書
【補正対象項目名】０１１２
【補正方法】変更
【補正の内容】
【０１１２】
選択肢として、前記第１情報は半連続的なＣＳＩ報告を行うように前記端末をトリガすることに用いられ、前記第１ダウンリンク時間領域位置は周期的な時間領域位置であり、前記第１アップリンク時間領域位置は周期的な時間領域位置である。
【手続補正２３】
【補正対象書類名】特許請求の範囲
【補正対象項目名】全文
【補正方法】変更
【補正の内容】
【特許請求の範囲】
【請求項１】
無線通信方法であって、
第１情報を送信し、前記第１情報はダウンリンク制御情報（ＤＣＩ）にベアリングされ、前記第１情報は非周期的なチャネル状態情報（ＣＳＩ）報告又は半連続的なＣＳＩ報告を行うように前記端末をトリガすることに用いられることと、
時間オフセット及び開始点としての第１ダウンリンク時間領域位置に基づいて、第１アップリンク時間領域位置を決定し、前記時間オフセットの時間単位長さはＣＳＩ報告を行うためのアップリンク伝送の時間単位長さであり、又は前記第１ダウンリンク時間領域位置において行うダウンリンク伝送の時間単位長さであることと、
前記第１アップリンク時間領域位置において、端末から報告されたＣＳＩを受信することと、を含むことを特徴とする無線通信方法。
【請求項２】
前記第１ダウンリンク時間領域位置は、第２情報の所在するタイムスロットであることを特徴とする請求項１に記載の方法。
【請求項３】
前記時間オフセットの時間単位長さはダウンリンク伝送の時間単位長さであり、前記第１アップリンク時間領域位置を決定することは、
前記第１ダウンリンク時間領域位置に前記時間オフセットのｎ倍を加算して、第２ダウンリンク時間領域位置を取得し、前記ｎが１以上の整数であることと、
前記第２ダウンリンク時間領域位置を前記第１アップリンク時間領域位置にマッピングすることと、を含むことを特徴とする請求項１又は２に記載の方法。
【請求項４】
前記時間オフセットの時間単位長さはタイムスロットであることを特徴とする請求項１〜３のいずれか１項に記載の方法。
【請求項５】
ＣＳＩ報告を行うためのアップリンク伝送のサブキャリア間隔は、前記第１ダウンリンク時間領域位置において行うダウンリンク伝送のサブキャリア間隔と異なることを特徴とする請求項１〜４のいずれか１項に記載の方法。
【請求項６】
無線通信方法であって、
第１情報を受信し、前記第１情報はダウンリンク制御情報（ＤＣＩ）にベアリングされ、前記第１情報は非周期的なチャネル状態情報（ＣＳＩ）報告又は半連続的なＣＳＩ報告をトリガすることに用いられることと、
時間オフセット及び開始点としての第１ダウンリンク時間領域位置に基づいて、第１アップリンク時間領域位置を決定し、前記時間オフセットの時間単位長さはＣＳＩ報告を行うためのアップリンク伝送の時間単位長さであり、又は前記第１ダウンリンク時間領域位置において行うダウンリンク伝送の時間単位長さであることと、
前記第１アップリンク時間領域位置においてＣＳＩを報告することと、を含むことを特徴とする無線通信方法。
【請求項７】
前記第１ダウンリンク時間領域位置は、第２情報の所在するタイムスロットであることを特徴とする請求項６に記載の方法。
【請求項８】
前記時間オフセットの時間単位長さはダウンリンク伝送の時間単位長さであり、前記第１アップリンク時間領域位置を決定することは、
前記第１ダウンリンク時間領域位置に前記時間オフセットのｎ倍を加算して、第２ダウンリンク時間領域位置を取得し、前記ｎが１以上の整数であることと、
前記第２ダウンリンク時間領域位置を前記第１アップリンク時間領域位置にマッピングすることと、を含むことを特徴とする請求項６又は７に記載の方法。
【請求項９】
前記時間オフセットの時間単位長さはタイムスロットであることを特徴とする請求項６〜８のいずれか１項に記載の方法。
【請求項１０】
ＣＳＩ報告を行うためのアップリンク伝送のサブキャリア間隔は、前記第１ダウンリンク時間領域位置において行うダウンリンク伝送のサブキャリア間隔と異なることを特徴とする請求項６〜９のいずれか１項に記載の方法。
【請求項１１】
ネットワーク装置であって、通信ユニットと処理ユニットを備え、
前記通信ユニットは第１情報を送信することに用いられ、前記第１情報はダウンリンク制御情報（ＤＣＩ）にベアリングされ、前記第１情報は非周期的なチャネル状態情報（ＣＳＩ）報告又は半連続的なＣＳＩ報告を行うように前記端末をトリガすることに用いられ、
前記処理ユニットは、時間オフセット及び開始点としての第１ダウンリンク時間領域位置に基づいて第１アップリンク時間領域位置を決定することに用いられ、前記時間オフセットの時間単位長さはＣＳＩ報告を行うためのアップリンク伝送の時間単位長さであり、又は前記第１ダウンリンク時間領域位置において行うダウンリンク伝送の時間単位長さであり、
前記通信ユニットは更に、前記第１アップリンク時間領域位置において、端末から報告されたＣＳＩを受信することに用いられることを特徴とするネットワーク装置。
【請求項１２】
前記第１ダウンリンク時間領域位置は、第２情報の所在するタイムスロットであることを特徴とする請求項１１に記載のネットワーク装置。
【請求項１３】
前記時間オフセットの時間単位長さはダウンリンク伝送の時間単位長さであり、
前記処理ユニットは更に、
前記第１ダウンリンク時間領域位置に前記時間オフセットのｎ倍を加算して、第２ダウンリンク時間領域位置を取得し、前記ｎが１以上の整数であることと、
前記第２ダウンリンク時間領域位置を前記第１アップリンク時間領域位置にマッピングすることと、に用いられることを特徴とする請求項１１又は１２に記載のネットワーク装置。
【請求項１４】
前記時間オフセットの時間単位長さはタイムスロットであることを特徴とする請求項１１〜１３のいずれか１項に記載のネットワーク装置。
【請求項１５】
ＣＳＩ報告を行うためのアップリンク伝送のサブキャリア間隔は、前記第１ダウンリンク時間領域位置において行うダウンリンク伝送のサブキャリア間隔と異なることを特徴とする請求項１１〜１４のいずれか１項に記載のネットワーク装置。
【請求項１６】
端末であって、通信ユニットと処理ユニットを備え、
前記通信ユニットは第１情報を受信することに用いられ、前記第１情報はダウンリンク制御情報（ＤＣＩ）にベアリングされ、前記第１情報は非周期的なチャネル状態情報（ＣＳＩ）報告又は半連続的なＣＳＩ報告をトリガすることに用いられ、
前記処理ユニットは、時間オフセット及び開始点としての第１ダウンリンク時間領域位置に基づいて第１アップリンク時間領域位置を決定することに用いられ、前記時間オフセットの時間単位長さはＣＳＩ報告を行うためのアップリンク伝送の時間単位長さであり、又は前記第１ダウンリンク時間領域位置において行うダウンリンク伝送の時間単位長さであり、
前記通信ユニットは更に、前記第１アップリンク時間領域位置においてＣＳＩを報告することに用いられることを特徴とする端末。
【請求項１７】
前記第１ダウンリンク時間領域位置は、第２情報の所在するタイムスロットであることを特徴とする請求項１６に記載の端末。
【請求項１８】
前記時間オフセットの時間単位長さはダウンリンク伝送の時間単位長さであり、前記処理ユニットは更に、
前記第１ダウンリンク時間領域位置に前記時間オフセットのｎ倍を加算して、第２ダウンリンク時間領域位置を取得し、前記ｎが１以上の整数であることと、
前記第２ダウンリンク時間領域位置を前記第１アップリンク時間領域位置にマッピングすることと、に用いられることを特徴とする請求項１６又は１７に記載の端末。
【請求項１９】
前記時間オフセットの時間単位長さはタイムスロットであることを特徴とする請求項１６〜１８のいずれか１項に記載の端末。
【請求項２０】
ＣＳＩ報告を行うためのアップリンク伝送のサブキャリア間隔は、前記第１ダウンリンク時間領域位置において行うダウンリンク伝送のサブキャリア間隔と異なることを特徴とする請求項１６〜１９のいずれか１項に記載の端末。
【手続補正２４】
【補正対象書類名】図面
【補正対象項目名】図２
【補正方法】変更
【補正の内容】
【図２】
2021515449.tif 000013
【国際調査報告】
2021515449.tif 000014
2021515449.tif 000015
2021515449.tif 000016
2021515449.tif 000017